(57)【要約】本発明は、幾つかのデータ転送方法が選択のために存在する通信システムにおいてデータ転送方法を選択する方法に関する。この方法は、ユーザから受け取られた入力に基づいて、送信されるべきメッセージを決定することを含む。入力中であるかまたは既に入力されているメッセージに関する少なくとも一部の属性情報が検査される。メッセージを送信するために、予め決められた選択条件において属性情報に対して関連付けられているデータ転送方法が選択される。
2006516838.tif 000002
【特許請求の範囲】
【請求項１】
ユーザから受け取られた入力に基づいて、送信されるべきメッセージを決定することを含む、幾つかのデータ転送方法が選択のために存在する通信システムにおいてデータ転送方法を選択する方法において、
入力中であるかまたは既に入力されているメッセージに関する少なくとも一部の属性情報を検査することと、
前記メッセージを送信するために、予め決められた選択条件において前記属性情報に関連付けられている前記データ転送方法を選択すること
とを特徴とする方法。
【請求項２】
前記メッセージに関して入力および／または選択された情報の１つまたは複数の情報タイプを検査することと、
前記メッセージを送信するために、前記選択条件において前記決定された１つまたは複数の情報タイプに関連付けられている前記データ転送方法を選択すること
とを特徴とする請求項１に記載の方法。
【請求項３】
前記メッセージの受け手として前記ユーザによって入力または選択された受け手の識別子のタイプを検査することと、
前記選択条件において決定されている前記受け手の前記識別子の前記タイプに関連付けられている前記データ転送方法を選択すること
とを特徴とする請求項１または２に記載の方法。
【請求項４】
端末装置内において、メッセージを入力するために使用されるメッセージエディタにおいて前記方法を適用することと、
前記メッセージエディタにおいて行われる前記データ転送方法の選択に基づいて、前記選択されたデータ転送方法をサポートするデータ転送アプリケーションに対して前記メッセージを送信することと、
前記データ転送アプリケーションによって使用されるデータ転送プロトコルにしたがって、前記メッセージを通信ネットワークに送信すること
とを特徴とする請求項１から３のいずれか一項に記載の方法。
【請求項５】
少なくとも一部の属性情報を判定し、および、前記メッセージを送信するために前記ユーザからの入力を受け取ることに応答して前記データ転送方法を選択することを特徴とする請求項１から４のいずれか一項に記載の方法。
【請求項６】
前記選択条件に基づいて前記メッセージを送信するために使用可能である幾つかのデータ転送方法に対応して、使用可能なデータ転送方法を示す情報を前記ユーザに提供することと、
前記ユーザから受け取られた応答に基づいて、前記メッセージを送信するために使用されるべき前記データ転送方法を選択すること
とを特徴とする請求項１から５のいずれか一項に記載の方法。
【請求項７】
ユーザから受け取られた入力に基づいて、送信されるべきメッセージを決定するように構成されている端末装置において、
前記端末装置は、さらに、入力中であるかまたは既に入力されているメッセージに関する少なくとも一部の属性情報を検査するように構成されており、および、
前記端末装置は、前記メッセージを送信するために、予め決められた選択条件において前記属性情報に関連付けられている前記データ転送方法を選択するように構成されている
ことを特徴とする端末装置。
【請求項８】
前記端末装置は、前記メッセージに関して入力および／または選択された情報の１つまたは複数の情報タイプを検査するように構成されており、および、
前記端末装置は、前記メッセージを送信するために、前記選択条件において前記決定された１つまたは複数の情報タイプに関連付けられている前記データ転送方法を選択するように構成されている
ことを特徴とする請求項７に記載の端末装置。
【請求項９】
前記端末装置は、前記メッセージの受け手として前記ユーザによって入力または選択された前記受け手の識別子のタイプを検査するように構成されており、および、
前記端末装置は、前記選択条件において決定されている前記受け手の前記識別子の前記タイプに関連付けられている前記データ転送方法を選択するように構成されている
ことを特徴とする請求項７または８に記載の端末装置。
【請求項１０】
前記端末装置は、メッセージを入力するために使用されるメッセージエディタにおいて前記方法を適用するように構成されており、
前記端末装置は、前記メッセージエディタにおいて行われる前記データ転送方法の選択に基づいて、前記選択されたデータ転送方法をサポートするデータ転送アプリケーションに対して前記メッセージを送信するように構成されており、および、
前記端末装置は、前記データ転送アプリケーションによって使用されるデータ転送プロトコルにしたがって、前記メッセージを通信ネットワークに送信するように構成されている
ことを特徴とする請求項７、８、または、９に記載の端末装置。
【請求項１１】
前記端末装置は、少なくとも一部の属性情報を判定し、および、前記メッセージを送信するために、前記ユーザからの入力を受け取ることに応答して前記データ転送方法を選択することを特徴とする請求項７から１０のいずれか一項に記載の端末装置。
【請求項１２】
前記端末装置は、前記選択条件に基づいて前記メッセージを送信するために使用可能である幾つかのデータ転送方法に対応して、使用可能なデータ転送方法を示す情報を前記ユーザに提供するように構成されており、および、
前記端末装置は、前記ユーザから受け取られた応答に基づいて、前記メッセージを送信するために使用されるべき前記データ転送方法を選択するように構成されている
ことを特徴とする請求項７から１１のいずれか一項に記載の端末装置。
【請求項１３】
端末装置の記憶装置の中にダウンロード可能でありかつ前記端末装置のプロセッサ内で実行可能であるコンピュータプログラムプロダクトにおいて、前記コンピュータプログラムプロダクトが、
入力中であるかまたは既に入力されているメッセージに関する少なくとも一部の属性情報を検査するように、前記端末装置を制御するためのプログラムコード部分と、
前記メッセージを送信するために、予め決められた選択条件において前記属性情報に関連付けられている前記データ転送方法を選択するように、前記端末装置を制御するためのプログラムコード部分
とを含むコンピュータプログラムプロダクト。
【発明の詳細な説明】
【技術分野】
【０００１】
本発明は、通信システムにおけるデータ転送方法の選択に関する。
【背景技術】
【０００２】
移動局のような既存のワイヤレス端末装置は、通信ネットワークまたは別の端末装置に対してメッセージを送信する幾つかの異なった方法を備えている。多くの端末装置は、例えば、テキスト形式のショートメッセージの転送（ショートメッセージサービスＳＭＳ）と、マルチメディアメッセージの転送（マルチメディアメッセージングサービスＭＭＳ）と、電子メールメッセージの転送とをサポートする。例えばＳＭＳおよびＭＭＳメッセージは異なるタイプの情報が転送されることを可能にするので、各々のメッセージタイプにはそれ自体の固有のエディタが備わっている。ユーザがメッセージを送信することを望むと、典型的には、このユーザは、最初に、そのメッセージを転送するために使用されるべきデータ転送アプリケーションを選択しなければならない。そのユーザはデータ転送アプリケーションを選択した後に、例えば端末装置のキーパッドを使用してユーザがメッセージを入力することを可能にするために、ユーザインタフェースにおいてメッセージエディタが開く。こうした端末装置の一例がノキアコミュニケータ（Ｎｏｋｉａ  Ｃｏｍｍｕｎｉｃａｔｏｒ）であり、このノキアコミュニケータでは、メッセージング画面表示において、最初に行うべきことは、送信されるメッセージが電子メールメッセージであるか、ショートメッセージであるか、または、ファックスであるかどうかを選択することであり、これにしたがってアプリケーションに固有のメッセージエディタが開くことになる。
【０００３】
しかし、不慣れなユーザにとっては、所望のメッセージを送信するためにどのエディタを選択すべきであるかが常に明らかであるとは限らない。例えば、そのユーザがモディファイド・テキストを送信することを望む場合には、そのモディファイド・テキストはＳＭＳメッセージとしては送信不可能であるので、そのユーザは、ＳＭＳアプリケーションではなくＭＭＳアプリケーション（およびエディタ）を選択しなければならない。データ転送方法とそのデータ転送方法で使用されるエディタとのこうした特殊な特徴と制限とがユーザに知られていないことが多く、このことがメッセージの送信において問題を生じさせ、ユーザの不満の原因となる。ＳＭＳメッセージに関する特有の問題点は、ユーザによって入力されたメッセージの長さが最大長さを超える時をエディタが検出し、この場合にそのメッセージがＳＭＳメッセージとして送信されることが防止される、ノキアコミュニケータ装置によって解決されている。しかし、この既知の解決策は、データ転送方法を選択する時に、そのデータ転送方法の他のあらゆる制限をユーザが考慮に入れることには役立たない。
【発明の開示】
【発明が解決しようとする課題】
【０００４】
したがって、本発明の目的は、上述の問題が回避されるかまたは少なくとも軽減されることを可能にするようにする方法と、この方法を実現する装置とを提供することである。本発明の目的は、独立特許請求項に開示されているものによって特徴付けられている方法と端末装置とコンピュータプログラムプロダクトとによって実現される。本発明の幾つかの実施形態が従属特許請求項に開示されている。
【課題を解決するための手段】
【０００５】
本発明によって、入力中のメッセージまた既に入力されているメッセージに関する少なくとも一部の属性情報が検査される。このメッセージを送信するために、予め決められた選択条件においてその属性情報に関連付けられているデータ転送方法が選択される。
【０００６】
本発明の構成の利点は、データ転送方法がメッセージの１つまたは複数の属性に基づいて自動的に選択されることが可能であるということである。こうした場合には、ユーザは、必ずしもデータ転送方法の制限を知っている必要はなく、そのメッセージを転送するための適切なデータ転送方法が、予め決められた選択条件に従って選択されることが可能である。本発明は、例えば幾つかの代替のデータ転送方法をサポートする幾つかの最新の移動局から、メッセージを送信することをより容易にする。
【０００７】
本発明の実施態様では、メッセージのために入力および／または選択される情報の１つまたは複数の情報タイプが検査される。判定された１つまたは複数の情報タイプに選択条件において関連付けられているデータ転送方法が、そのメッセージを送信するために選択される。この実施態様は、送信されるべきメッセージの内容の転送をサポートするデータ転送方法が選択されることを可能にする。
【０００８】
本発明の別の実施態様では、メッセージの受け手としてユーザによって入力または選択される受け手の識別子のタイプが検査される。その次に、選択条件において決定されている受け手の識別子のタイプに関連付けられているデータ転送方法が選択される。この実施態様は、受け手の識別子のタイプにしたがった、または、受け手の識別子のタイプに応じたネットワークにしたがった、データ転送をサポートするデータ転送方法が選択されることを可能にする。
【０００９】
次に、本発明を、幾つかの実施形態に関連付けて、および、添付図面を参照しながら、さらに詳細に説明する。
【発明を実施するための最良の形態】
【００１０】
以下では、本発明の実施形態による手順を、ＧＳＭシステムと第３世代の３ＧＰＰシステムとに関連させて例示的に説明する。しかし、本発明は、転送されるメッセージのために使用されるデータ転送方法を選択する必要がある、あらゆる通信システムに適用できる。本発明が適用されてよい別の例が、ワイヤレスローカルエリアネットワークに対するアクセス手段を含む端末装置である。例えば、本発明によるデータ転送方法の選択はポータブルコンピュータにも適用されてよく、幾つかの異なるデータ転送方法を使用して、例えば有線接続、ＷＬＡＮ接続、ＧＰＲＳ接続、または、ブルートゥース接続によってポータブルコンピュータからメッセージが送信されることを可能にする。
【００１１】
図１は、インターネットとＰＳＴＮネットワークに対するデータ転送がその移動通信ネットワークから行われることを可能にする移動通信ネットワークＭＮＷを含む通信システムを概略的に示す。この移動通信ネットワークＭＮＷは、幾つかのテレサービスＴＳを移動局ＭＳに提供する。こうしたテレサービスＴＳの例は、ＰＬＭＮネットワークに対するコールセットアップサービスと、インターネットに対するデータ転送サービスと、ＳＭＳサービスと、ＭＭＳサービスと、ファックスサービスとを含む。例えば、インターネットアクセスプロバイダのサーバＳが電子メールサービスを含むように、移動通信ネットワークＭＮＷの外部の要素も、移動通信ネットワークＭＮＷの移動局ＭＳに対してテレサービスＴＳを提供してよい。テレサービスＴＳは、さらに、移動通信ネットワークが１つの中間ネットワークとしてだけ機能するエンドツーエンド型のサービスであってもよい。移動通信ネットワークＭＮＷは、移動通信ネットワークＭＮＷと移動局ＭＳとの間のデータ転送ためにベアラサービスＢＳを使用する。ベアラサービスＢＳの例は、データ／音声転送のための回線交換呼（ｃｉｒｃｕｉｔ−ｓｗｉｔｃｈｅｄ  ｃａｌｌ）、または、ＧＰＲＳネットワークパケット交換データ転送を実現するＰＤＰ（パケットデータプロトコル）コンテキスト、および、これによって使用されるデータ転送プロトコルを含む。
【００１２】
移動通信ネットワークＭＮＷの一例が、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）組織によって定義されおよび３ＧＰＰシステムまたはＵＭＴＳシステムと呼ばれている第３世代の移動通信システムであり、このシステムでは、その移動通信システムの主要部分がコアネットワークＣＮとＵＭＴＳ地上無線アクセスネットワークＵＴＲＡＮである。ＵＴＲＡＮは、典型的には、幾つかの無線ネットワークサブシステムＲＮＳを含み、これらのＲＮＳ間のインタフェースがｌｕｒと呼ばれている（図示されていない）。ＲＮＳは、無線ネットワークコントローラＲＮＣと、１つまたは複数のノードＢとしても知られている１つまたは複数の基地局とを含む。基地局は無線経路の実現の役割を果たし、および、無線ネットワークコントローラＲＮＣは無線源を管理する。ＵＭＴＳコアネットワークＣＮに対する接続は、さらに、ＧＳＭ基地局サブシステムＢＳＳまたはＧＳＭ／ＥＤＧＥ無線アクセスネットワーク（ＧＳＭ進化のための増速されたデータ転送速度）ＧＥＲＡＮによっても実現される。コアネットワークＣＮは、ＵＴＲＡＮの外部にありかつ移動通信システムに属しているインフラストラクチャを含む。コアネットワーク内では、移動交換センタ／ビジタロケーションレジスタ３Ｇ−ＭＳＣ／ＶＬＲが、回線交換呼を担当し、および、ホームサブスクライバサーバ（ｈｏｍｅ  ｓｕｂｓｃｒｉｂｅｒ  ｓｅｒｖｅｒ）ＨＳＳと通信する。
【００１３】
３ＧＰＰシステムは、さらに、ＧＳＭネットワークに接続されているＧＰＲＳシステムに主にしたがって実現されるパケット無線システムも含む。ＵＭＴＳパケット無線システムは幾つかのゲートウェイとサービングＧＰＲＳサポートノードとを含んでよく、および、典型的には、幾つかのサービングＧＰＲＳサポートノードＳＧＳＮは、１つのゲートウェイＧＰＲＳサポートノードＧＧＳＮに接続されている。サービングＧＰＲＳサポートノードＳＧＳＮのタスクは、そのサービスエリア内のパケット無線接続が可能な移動局を検出することと、こうした移動局に対してデータパケットを送受信することと、そのサービスエリア内の移動局の位置を監視することである。ゲートウェイＧＰＲＳサポートノードＧＧＳＮは、ＵＭＴＳネットワークパケット無線システムと外部パケットデータネットワークとの間のゲートウェイの役割を果たす。外部データネットワークは、例えば、別のネットワークオペレータの３ＧＰＰまたはＧＰＲＳネットワーク、インターネット、または、プライベートローカルエリアネットワークであってよい。移動通信ネットワークは、典型的には、さらに、ＳＭＳセンタとＭＭＳサーバとＳＩＰ機能とのような（別個のネットワーク要素の形で、および／または、上述のネットワーク要素の形で実現可能な）他の機能も含む。３ＧＰＰ仕様が、移動局とコアネットワークとの間の、コアネットワークと無線アクセスネットワークとの間の、および、移動局と無線アクセスネットワークとの間の様々なネットワークサービスを定義する。３ＧＰＰ仕様は、さらに、様々なサービス機能（例えば、移動ネットワークエンハンストロジック（ｍｏｂｉｌｅ  ｎｅｔｗｏｒｋ  ｅｎｈａｎｃｅｄ  ｌｏｇｉｃ）ＣＡＭＥＬサービス）を定義し、これは、ネットワークオペレータによって生成される様々なネットワークサービスＴＳによって利用されてよい。３ＧＰＰシステムは、次のＧＳＭシステムのテレサービスＴＳ、すなわち、音声サービス、ファックスサービス、回線交換データ、付加サービス（ｓｕｐｐｌｅｍｅｎｔａｒｙ  ｓｅｒｖｉｃｅ）、および、非構造化付加サービスデータ（ｕｎｓｔｒｕｃｔｕｒｅｄ  ｓｕｐｐｌｅｍｅｎｔａｒｙ  ｓｅｒｖｉｃｅ  ｄａｔａ）ＵＳＳＤサービスをサポートする。さらに、ボイスオーバーＩＰ  ＶｏＩＰのような他の種類のテレサービスＴＳが３ＧＰＰネットワークにおいて提供されるだろう。
【００１４】
図２に示されているように、移動局ＭＳが、記憶装置ＭＥＭと、ユーザインタフェースＵＩと、Ｉ／Ｏデータ転送を行うＩ／Ｏ手段と、１つまたは複数のプロセッサを含む中央処理ユニットＣＰＵとを含む。様々なアプリケーションＡＰＰが、記憶装置ＭＥＭ内に記憶されているコンピュータプログラムコードをＣＰＵ内で実行することによって、移動局ＭＳ内で実行されてよい。移動局ＭＳによって移動通信ネットワークＭＮＷ内のメッセージ転送が利用されることを可能にするサービスＢＳ、ＴＳの少なくとも幾つかを実行可能にするために、データ転送アプリケーションＡＰＰが、典型的にはソフトウェアによって移動局ＭＳ内で実行され、このアプリケーションＡＰＰは、ネットワークと共に、使用されるデータ転送プロトコルにしたがって、必要なネゴシエーションと、メッセージパッキング（ｍｅｓｓａｇｅ  ｐａｃｋｉｎｇ）と、移動通信ネットワークＭＮＷに対する送信とを実行する。こうしたアプリケーションＡＰＰの例は、回線交換データ転送アプリケーションと、パケット交換データ転送アプリケーションと、ＳＭＳアプリケーションと、ＷＡＰアプリケーションと、ＭＭＳアプリケーションと、エンハンストメッセージングサービスＥＭＳアプリケーションと、ファックスアプリケーションと、電子メールアプリケーションとを含む。上述のアプリケーションの中の幾つかが、プロトコルスタック内のより下層に位置しているデータ転送方法のサービスを利用し、例えば、電子メールアプリケーションはパケット交換ＧＰＲＳサービスを利用する。これに対応して、中央処理ユニットＣＰＵ内で実行されるコンピュータプログラムコードは、さらに、データ転送方法の選択に関係している本発明の手段を移動局ＭＳが実行することを可能にしてよい。こうした手段の幾つかの実施形態を図３、図４ａ、図４ｂに関連して説明する。
【００１５】
一実施形態では、移動局ＭＳは、使用されるべきデータ転送アプリケーション、例えば、エディタＥＤ内で生成されたメッセージを送信するために使用されるべきアプリケーションＡＰＰの１つを選択するように構成されているメッセージエディタＥＤを、セントライズド方式で使用する。コンピュータプログラムは、任意の記憶手段の中に記憶されてよく、例えば、そのコンピュータプログラムを実行する装置ＭＳの記憶装置ＭＥＭの中にそのコンピュータプログラムがそれからダウンロードされてよいＰＣのハードディスクまたはＣＤ−ＲＯＭディスク上に記憶されてよい。このコンピュータプログラムは、さらに、例えばＴＣＰ／ＩＰプロトコルスタックを使用することによって、ネットワークを経由してダウンロードされてもよい。さらに、本発明の手段を実現するために、ハードウェアソリューション、または、ハードウェアソリューションとソフトウェアソリューションとの組合せを使用することも実施可能である。
【００１６】
図３はデータ転送方法を選択するための実施形態による方法を例示し、この図の方法は、特に移動局ＭＳに適用可能であり、実施形態によっては、メッセージエディタＥＤに適用可能である。この方法では、ステップ３００がメッセージ判定を起動させることを含む。その次に、例えば、メッセージエディタＥＤがオンにされてよく、および、このようにしてメッセージの入力画面表示がユーザに対して示される。ステップ３０１で入力がユーザから受け取られ、送信されるべきメッセージがこの入力に基づいて判定される。ユーザは、例えば、文字を入力することによって、および／または、予め記憶された１つの情報を選択することによって、例えば、メッセージに添付されるべき記憶装置ＭＥＭ内に記憶されている写真を選択することによって、情報をメッセージに入力してよい。
【００１７】
ステップ３０２では、入力中であるかまたは既に入力されているメッセージに関係する少なくとも一部の属性情報が検査される。実施形態によっては、ステップ３０２は、ユーザがメッセージを入力してそのメッセージを送信することを選択し終わっている時に行われてよい。これに対する代案としては、ステップ３０２は、メッセージの入力中に、例えば、ユーザがそのメッセージに対して予め決められた情報タイプの情報を追加することを選択する時に、既に実行されていてもよい。ステップ３０２は、ユーザがメッセージの受け手を選択および／または入力し終わった時に行われてもよい。
【００１８】
ステップ３０３では、予め決められた選択条件にしたがって、および、少なくとも一部の判定された属性情報にしたがって、データ転送方法が選択される。この選択条件では、１つまたは複数のデータ転送方法が属性情報に関連付けられる。選択条件は様々な異なる方法で実現されてよく、例えば、記憶装置ＭＥＭ内に記憶されているサーチテーブルとして実現されてよい。選択条件を実現するための、および、データ転送方法を選択するためにメッセージの様々な属性を使用するための様々な実施形態を、さらに詳細に後述する。ステップ３０３では、予め決められた選択条件において属性情報に関連付けられているデータ転送方法が、メッセージを送信するために次のように選択される。属性情報がデータ転送方法にも間接的に関連付けられてよいということが留意されなければならない。例えば、直接的な関連付けが１つのデータ転送方法と一部の属性情報との間で選択条件において判定されると同時に、選択条件において判定された別のデータ転送方法が（選択条件においてさえ必ずしも言及されていない）他の属性情報を含むメッセージに関して使用される。選択条件が、メッセージに関する一部の属性情報のために使用されるべきデータ転送方法を判定しない場合には、移動局ＭＳは、属性情報に間接的に関連付けられているデフォルトのデータ転送方法を選択するか、または、使用されるべきデータ転送方法を選択するようにユーザに要求するように構成されてよい。選択の判定基準は、装置の製造中に既に移動局ＭＳに対して決定されてよいが、実施形態によっては、ユーザが選択条件の少なくとも幾つかを決定および／または変更してよい。類似したタイプのメッセージを転送するために幾つかのデータ転送方法が使用可能である場合には、ユーザは、デフォルトのデータ転送方法を予め選択してよく、例えばＥＭＳメッセージの代わりにＭＭＳメッセージを予め選択してよい。実施形態によっては、例えば、ネットワークオペレータまたは別の外部関係者が、例えば装置管理プロトコルを使用して、選択条件を変更してもよい。さらに別の実施形態では、選択条件は、以前に受信されたメッセージに対する応答が提供される時に、すなわち、送信されるべきメッセージが応答メッセージである時に、使用されるべきデータ転送方法がこの以前に受信されたメッセージのデータ転送方法にしたがって選択されるということを決定してもよい。
【００１９】
データ転送方法が選択され終わった後に、ステップ３０４において、選択されたデータ転送方法、例えば、図１または図２に関連して上述したデータ転送方法の１つを使用して、メッセージが送信される。図３の方法がメッセージエディタＥＤに適用される場合には、このメッセージエディタは、選択されたデータ転送方法をサポートして実行するアプリケーションＡＰＰのアプリケーションプログラミングインタフェースＡＰＩに対してメッセージを送信してよい。その次に、アプリケーションＡＰＰは、それが使用するデータ転送プロトコルにしたがってメッセージの内容を送信する。したがって、メッセージエディタＥＤは、異なるデータ転送方法による幾つかのメッセージによって、例えば、ＳＭＳサービスとＭＭＳサービスとによって転送されるメッセージによって共用されてよい。実施形態によっては、メッセージエディタＥＤは、選択されたデータ転送アプリケーションおよび／またはサービスを起動させてよい。例えば、ＧＰＲＳサービスのＰＤＰコンテキストまたはＷＡＰ接続は、メッセージとその少なくとも１つの属性とを送信する必要に応じて設定されてよい。
【００２０】
図４ａは、実施形態によって選択条件がどのように使用されるかを示し、この選択条件は異なる情報タイプに関して使用されるべきデータ転送方法を判定する。ステップ４００でメッセージの中に入力された、および／または、メッセージのために選択された情報の１つまたは複数の情報タイプが検査される。したがって、情報タイプは、メッセージ内に含まれている情報のフォーマットを意味し、したがって、メッセージは、例えば、１つまたは複数の次の情報タイプ、すなわち、テキスト、モディファイドテキスト、静止画像、ビデオ画像、録音、カレンダー入力の１つまたは複数を含んでよい。ステップ４００では、判定された１つまたは複数の情報タイプに選択条件において関連付けられたデータ転送方法が、ステップ４０１でメッセージを送信するために選択される。この実施形態は、メッセージ内に含まれている情報の１つまたは複数の情報タイプの転送をサポートするデータ転送方法が常に選択されることを可能にする。この選択条件は、例えば、画像ファイルを含むメッセージが常にＭＭＳサービスを使用して送信されるということを決定してよい。その次に、ステップ４００において、そのメッセージが画像ファイルを含むか否かが検査されることが可能である。選択条件は、さらに、例えば、メッセージが幾つかの情報タイプを含む場合にはそのメッセージが常にＭＭＳメッセージとして送信されるように、幾つかの異なる情報タイプに関係した条件を決定してもよい。
【００２１】
選択条件は、さらに、特定のデータ転送方法の使用のための条件を決定してもよい。例えば、選択条件は、メッセージがテキストだけを含む場合にそのメッセージがＳＭＳメッセージとして送信され、そうでない場合にはメッセージが常にＭＭＳメッセージとして送信されるということを決定してもよい。さらに、実施形態によっては、選択条件が、単一の情報タイプと、その情報タイプのために使用されるデータ転送方法とをより詳細に決定してもよい。選択条件は、例えば、メッセージに添付されるべきファイルにしたがって、使用されるべきデータ転送方法を決定してもよく、例えば、ＪＰＥＧ形式の画像がＭＭＳメッセージとして送信され、一方、電子メールアプリケーションがＧＩＦ形式の画像のために使用される。
【００２２】
図４ｂは、別の実施形態によって選択条件がどのように使用されるかを例示し、この選択条件は受け手の識別子のタイプに関して使用されるべきデータ転送方法を決定する。ステップ４１０において、メッセージの受け手としてユーザによって入力または選択された受け手の識別子タイプが検査される。ステップ４１１では、選択条件において受け手の識別子タイプに関連付けられておりかつその決定されたタイプにしたがってメッセージの転送をサポートするデータ転送方法が選択される。この実施形態は、受け手の識別子のタイプにしたがって、または、受け手の識別子のタイプにしたがうネットワークにしたがって、データ転送をサポートするデータ転送方法が常に選択されることを可能にする。
【００２３】
実施形態によっては、受け手の識別子のタイプがＩＰアドレスである。その次に、ステップ４１０において、ユーザがＩＰアドレスまたはＩＰアドレスを記述するドメイン名を入力し終わったかまたは入力中であるということが検出される時に、受け手の識別子のタイプが判定されてよい。このタイプは、例えば、ステップ４１０において、電子メールアドレスで使用される＠文字に基づいて、または、ネットワークアドレスに基づいて検出されてよい。その次に、その識別子のタイプがＩＰアドレスであるということが検出される時に、例えばＩＰデータ転送に基づいたＧＰＲＳサービスのような、選択条件においてその識別子のタイプに関連付けられているデータ転送方法が使用されてよい。さらに、より詳細な選択条件が使用されてもよい。例えば、ユーザが電子メールアドレスを入力する時には、電子メールサービスがデータ転送方法として選択される。
【００２４】
別の実施形態では、受け手の識別子のタイプが、ユーザによって入力または選択された電話番号である。その次に、ステップ４１０において、その番号が電話番号であるということが、受け手によって入力された数字に基づいて検出されることが可能であり、および、ステップ４１１にて選択条件においてこのタイプに関連付けられているデータ転送方法を選択する。さらに、この実施形態は、例えば、異なるデータ転送方法が異なる電話番号または番号の組に関して決定されるように、より詳細な選択条件が使用されることも可能にする。実施形態によっては、移動局ＭＳが、番号が移動加入者番号であるか否かを検査するように構成される。例えば、ＧＳＭ規格による移動局ＭＳでは、したがって、最初の３つから６つの入力数字を検査することと、および、したがって、ＧＳＭ番号付けシステムの国番号ＣＣと国内宛先コードＮＤＣとに基づいて、受け手の番号が移動加入者番号であるか否かを判定することとが可能である。移動局ＭＳの選択条件は、特にＳＭＳサービスとＭＭＳサービスとの使用に関連して、移動加入者番号に指定されているメッセージだけがこれらのサービスを使用して送信されるということを決定してよい。
【００２５】
さらに別の実施形態では、選択条件が、異なる受け手の識別子に対して使用されるべきデータ転送方法を決定する。例えば、コンタクト情報が、コンタクト専用の形でデフォルトのデータ転送方法を決定する。その次に、コンタクト情報が送信情報（所番地または電話番号）に関して検索される時に、デフォルトのデータ転送方法が受け手情報に既に関連付けられているか否かが同時に検査される。こうして、選択条件において決定されておりかつデータ転送方法がそれに基づいて選択される属性情報が、例えば、特定の電話番号またはＩＰアドレスである。コンタクト情報の中に含まれているかまたは別個に記憶されている選択条件が、受け手が例えばＭＭＳメッセージを受け取ることが可能であるか否かを決定してよい。したがって、この実施形態は、特定の受け手または受け手グループにメッセージを送信するために常に使用されるべきデータ転送方法が予め決定されることを可能にする。
【００２６】
したがって、上述の実施形態は、図３のステップ３０２とステップ３０３とに適用されてよい。幾つかの異なる選択条件が適用されてよく、または、選択条件が、データ転送方法を選択するための幾つかの異なる判定基準を決定してもよいということに留意されたい。例えば、図４ａと図４ｂの両方に示されている実施形態はメッセージエディタＥＤに適用されてよい。さらに、選択条件が、属性情報に関連付けられている少なくとも２つのデータ転送方法の組合せを含み、この組合せが、上述の属性情報を有するメッセージを送信するために使用されることになるということも実現可能である。例えば、ＭＭＳアプリケーションが、画像ファイルを含むメッセージのために選択され（３０３、４０１）、一方、ＭＭＳメッセージがＧＰＲＳプロトコルを使用して転送される。
【００２７】
実施形態によっては、選択条件に基づいてメッセージを送信するために幾つかのデータ転送方法が使用可能である場合に、ユーザは、使用可能なデータ転送方法を示す情報を提供される。その次に、メッセージを送信するために使用されるべきデータ転送方法が、ユーザから受け取られた応答に基づいて選択される。この実施形態は、データ転送方法の選択の可能性がユーザに提供されることを可能にし、および、例えばメッセージを送信するための必要に応じた最も低コストのデータ転送方法のようなデータ転送方法をユーザが選択することを可能にする。さらに、自動的に選択されたデータ転送方法の承認をユーザに要求することと、データ転送方法の使用をユーザが承認する場合にだけメッセージを送信することとが可能である。
【００２８】
技術が進歩するのに応じて、本発明の基本的着想が様々な形で実現されてよいということが、当業者には明らかである。したがって、本発明とその実施形態とが、上述の具体例には限定されず、特許請求項の範囲内で変化してよい。したがって、様々な特徴が省略され、変更され、または、等価物によって置き換えられてよい。
【図面の簡単な説明】
【００２９】
【図１】図１は、移動通信ネットワークとそのサービスとを含む通信システムを概略的に示す。
【図２】図２は、実施形態による移動局を示す。
【図３】図３は、実施形態による方法を示す流れ図である。
【図４ａ】実施形態によって選択条件がどのように使用されるかを示す。
【図４ｂ】実施形態によって選択条件がどのように使用されるかを示す。
【図１】
2006516838.tif 000003
【図２】
2006516838.tif 000004
【図３】
2006516838.tif 000005
【図４ａ】
2006516838.tif 000006
【図４ｂ】
2006516838.tif 000007
【国際調査報告】
2006516838.tif 000008
2006516838.tif 000009